(57)【要約】【課題】さらなる構成を設けなくても、外力を検出して警告することができる折り畳み式携帯端末装置および折り畳み式携帯端末装置の制御方法を提供する。【解決手段】判定部２９２は、タッチパネル２４により検出された他の物体との接触位置に関する情報に基づいて、接触面積および接触時間を検出し、これらが閾値を超えたか否かを判定する。閾値を超えた場合、警報部２９３により、警報を出力させる。これにより、従来のように突起等の他の機構を設けることなく外力を検出して警告することができる。【選択図】  図３
2010250468.tif 000002
【特許請求の範囲】
【請求項１】
折り畳み可能に連結された２つの筐体の開閉状態を検出する開閉状態検出部と、
少なくとも一方の前記筐体の、閉状態のときに他方の前記筐体と対向する面に設けられ、他の物体との接触位置の情報を出力する二次元接触センサと、
前記筐体が閉状態のときに前記二次元接触センサにより検出された前記接触位置の情報に基づいて、前記他の物体と接触した面積および時間のうち少なくとも一方が所定の閾値を超えたか否かを判定する判定部と、
この判定部により、前記面積および前記時間のうち少なくとも一方が前記所定の閾値を超えた判定されると、警報を出力する警報部と
を備えたことを特徴とする折り畳み式携帯端末装置。
【請求項２】
前記時間に対する前記所定の閾値は、前記面積の単調減少関数で表される
ことを特徴とする請求項１記載の折り畳み式携帯端末装置。
【請求項３】
折り畳み可能に連結された２つの筐体と、
前記筐体の開閉状態を検出する開閉状態検出部と、
少なくとも一方の前記筐体の、閉状態のときに他方の前記筐体と対向する面に設けられ、他の物体との接触位置の情報を出力する二次元接触センサと
警報を出力する警報部と
を備えた折り畳み式携帯端末装置制御方法であって、
前記筐体が閉状態のときに前記二次元接触センサにより検出された前記接触位置の情報に基づいて、前記他の物体と接触した面積および時間のうち少なくとも一方が所定の閾値を超えたか否かを判定する判定ステップと、
この判定ステップにより、前記面積および前記時間のうち少なくとも一方が前記所定の閾値を超えた判定されると、前記警報部により警報を出力させる警報ステップと
を有することを特徴とする折り畳み式携帯端末装置の制御方法。
【発明の詳細な説明】
【技術分野】
【０００１】
本発明は、折り畳み式の携帯端末装置に関するものである。
【背景技術】
【０００２】
現在の折り畳み式の携帯電話装置は、情報を表示するための表示装置として液晶パネルや有機ＥＬなどを用いたものが一般的になっている。ところで、それらの表示装置は、素材として一般的にガラス素材が用いられており、折り畳み式の携帯電話装置の小型化、薄型化の要望からできる限り薄く作られている。このため、バッグに他の硬い物と一緒に入れたり、ズボンのポケットに入れたりすると、表示装置に対して外部から過度な圧力がかかりやすくなり、ユーザが意識しなくても表示画面が破損してしまうおそれがあった。このため、ユーザが意識せずに表示画面が破損してしまうことを防ぐための提案がなされている。
【０００３】
例えば、特許文献１には、折り畳み式の携帯電話装置の一方の筐体にタッチパネル、他方の筐体に突起を、互いに対向する面に設けることが開示されている。この技術によれば、携帯電話装置に外部から圧力がかかり、突起とタッチパネルが接触したことを検出すると、携帯電話装置が破損するおそれがあると判断し、ブザーから警告音を鳴動させてユーザに注意を喚起するようにしている。
【先行技術文献】
【特許文献】
【０００４】
【特許文献１】特開２００１−０５４１５５号公報
【発明の概要】
【発明が解決しようとする課題】
【０００５】
しかしながら、特許文献１に記載された技術では、突起やこの突起とタッチパネルが接触したことを検出するための回路などをさらに携帯電話装置に設けなければならなかったので、構造が複雑となっていた。
【０００６】
そこで、本発明は、さらなる構成を設けなくても、外力を検出して警告することができる折り畳み式携帯端末装置および折り畳み式携帯端末装置の制御方法を提供することを目的とする。
【課題を解決するための手段】
【０００７】
上述したような課題を解決するために、本発明に係る折り畳み式携帯端末装置は、折り畳み可能に連結された２つの筐体の開閉状態を検出する開閉状態検出部と、少なくとも一方の筐体の、閉状態のときに他方の筐体と対向する面に設けられ、他の物体との接触位置の情報を出力する二次元接触センサと、筐体が閉状態のときに二次元接触センサにより検出された接触位置の情報に基づいて、他の物体と接触した面積および時間のうち少なくとも一方が所定の閾値を超えたか否かを判定する判定部と、この判定部により、面積および時間のうち少なくとも一方が所定の閾値を超えた判定されると、警報を出力する警報部とを備えたことを特徴とするものである。
【０００８】
また、本発明に係る折り畳み式携帯端末装置の制御方法は、折り畳み可能に連結された２つの筐体と、筐体の開閉状態を検出する開閉状態検出部と、少なくとも一方の筐体の、閉状態のときに他方の筐体と対向する面に設けられ、他の物体との接触位置の情報を出力する二次元接触センサと警報を出力する警報部とを備えた折り畳み式携帯端末装置制御方法であって、筐体が閉状態のときに二次元接触センサにより検出された接触位置の情報に基づいて、他の物体と接触した面積および時間のうち少なくとも一方が所定の閾値を超えたか否かを判定する判定ステップと、判定ステップにより、面積および時間のうち少なくとも一方が所定の閾値を超えた判定されると、警報部により警報を出力させる警報ステップとを有することを特徴とするものである。
【発明の効果】
【０００９】
本発明によれば、筐体が閉状態のときに二次元接触センサにより検出された他の物体と接触した面積および時間が所定の閾値が超えると警報を出力することにより、従来のようにさらなる構成を設けなくても外力を検出して警告することができる。
【図面の簡単な説明】
【００１０】
【図１】図１は、本発明の第１の実施の形態に係る携帯端末装置の構成を示すブロック図である。
【図２】図２は、本発明の第２の実施の形態に係る携帯端末装置の側面図である。
【図３】図３は、本発明の第２の実施の形態に係る携帯端末装置の構成を示すブロック図である。
【図４】図４は、図２の携帯端末装置に小さな外力が加わった状態を示す図である。
【図５】図５は、タッチパネルにおける接触面積を説明するための図である。
【図６】図６は、図２の携帯端末装置に大きな外力が加わった状態を示す図である。
【図７】図７は、接触面積と接触時間の閾値を示す図である。
【図８】図８は、本発明の第２の実施の形態に係る携帯端末装置の警報動作を示すフローチャートである。
【発明を実施するための形態】
【００１１】
［第１の実施の形態］
以下、図面を参照して、本発明の第１の実施の形態について詳細に説明する。
【００１２】
本実施の形態に係る携帯端末装置１は、携帯電話機、ＰＤＡ（Personal Digital Assistant）、ノートＰＣ（Personal Computer）など、２つの筐体が折り畳み可能に連結された折り畳み式の携帯端末装置である、このような携帯端末装置１は、折り畳み可能に連結された２つの筐体の開閉状態を検出する開閉状態検出部１１と、少なくとも一方の筐体の、閉状態のときに他方の筐体と対向する面に設けられ、他の物体との接触位置の情報を出力する二次元接触センサ１２と、筐体が閉状態のときに二次元接触センサ１２により検出された接触位置の情報に基づいて、他の物体と接触した面積および時間のうち少なくとも一方が所定の閾値を超えたか否かを判定する判定部１３と、この判定部により、面積および時間のうち少なくとも一方が所定の閾値を超えたと判定されると、警報を出力する警報部１４とを備えている。ここで、「閉状態」とは、折り畳まれて携帯端末装置１の２つの筐体が互いに対向している状態をいう。
【００１３】
外部から圧力が加えられていない場合、閉状態の携帯端末装置１の２つの筐体は、所定の間隔だけ離間して対向配置されている。しかしながら、例えば携帯端末装置１をバッグに他の硬い物と一緒に入れたり、ズボンのポケットに入れたりするなどにより、携帯端末装置１に対して外部から圧力がかかると、筐体が撓み、二次元接触センサ１２が対向配置された筐体に接触することとなる。そこで、判定部１３は、そのときの接触面積およびこの接触面積の検出時間が、予め設定された所定の閾値を超えたか否かに基づいて、警報部１４により警報を行わせる。
【００１４】
このように、本実施の形態によれば、判定部１３は、二次元接触センサ１２により検出された接触の面積および時間に基づいて、携帯端末装置１が破損するおそれがあるか否かを判定し、この判定結果に基づいて外部からの圧力を検出する。これにより、従来のように突起等の他の構成を設けなくても、外部からの圧力を検出して警告することができる。
【００１５】
［第２の実施の形態］
次に、本発明の第２の実施の形態について説明する。
【００１６】
＜携帯端末装置の構成＞
本実施の形態に係る携帯端末装置２は、図２に示すように、略直方体形状を有する上側筐体２ａと下側筐体２ｂとが開閉可能に連結された折り畳み式の携帯電話機である。このような携帯端末装置２は、図３に示すように、無線により基地局と音声やデータのやりとりを行う無線部２１と、テンキー等の公知の入力装置からなる入力部２２と、ＬＣＤ(Liquid Crystal Display)、有機ＥＬ(Electro Luminescence)、ＦＥＤ（Field Emission Display）などの公知の表示装置からなる表示部２３と、ユーザ等からの接触を検出するタッチパネル２４と、外部の音声を検出するマイク２５と、音声を出力するスピーカ２６と、携帯端末装置２の開閉状態を検出する開閉検出スイッチ２７と、携帯端末装置２の動作に必要な各種情報を記憶するメモリ２８と、携帯端末装置２の動作を制御する制御部２９とを備えている。
【００１７】
ここで、入力部２２は、図２に示すように、下側筐体２ｂの、携帯端末装置２が閉状態のときに上側筐体２ａと対向する面に配設される。また、表示部２３は、上側筐体２ａの、携帯端末装置２が閉状態のときに下側筐体２ｂと対向する面に配設される。したがって、携帯端末装置２が閉状態のとき、入力部２２と表示部２３とは対向配置されることとなる。
【００１８】
また、タッチパネル２４は、透明な二次元接触センサからなり、入力装置として使用されるものである。このようなタッチパネル２４は、パネル表面に他の物体が接触すると、この接触した位置を示す信号（情報）を出力する。また、タッチパネル２４は、表示部２３の表面に配設される。したがって、携帯端末装置２が閉状態のとき、入力部２２とタッチパネル２４とは対向配置されることとなる。
【００１９】
マイク２５およびスピーカ２６は、それぞれ公知のマイクまたはスピーカから構成され、上側筐体２ａおよび下側筐体２ｂのうち少なくとも一方に設けられる。
【００２０】
開閉検出スイッチ２７は、機械式または非接触式の公知の開閉スイッチから構成され、上側筐体２ａ，下側筐体２ｂやこれらの連結部分に配設される。
【００２１】
また、制御部２９は、ＣＰＵなどのマイクロプロセッサとその周辺回路からなり、メモリ２８に記憶された動作プログラムを読み込んで実行することにより、上記ハードウェアと動作プログラムを協働させ、機能処理部２９１、判定部２９２および警報部２９３を実現させる。このような制御部２９は、メモリ２８とともに上側筐体２ａおよび下側筐体２ｂのうち少なくとも一方の内部に設けられる。
【００２２】
機能処理部２９１は、音声やデータの通信を含む携帯端末装置２の各種動作を実現する機能部である。
【００２３】
判定部２９２は、タッチパネル２４から出力される位置情報に基づいて、他の物体と接触した面積および時間を検出し、この検出結果に基づいて表示部２３や筐体等の携帯端末装置２の構成要素が破損するおそれがあるか否かを判定する機能部である。ここで、その判定は、携帯端末装置２が閉状態のときに、タッチパネル２４により検出された他の物体との接触した面積（以下、接触面積という）と、タッチパネル２４により他の物体との接触が検出された時間（以下、接触時間という）とに基づいて行われる。具体的には、接触面積および接触時間が所定の閾値を超えたか否かにより行われ、その所定の閾値を超えると、警報部外部からの圧力により表示部２３や筐体等が破損するおそれがあると判断され、その所定の閾値を超えないと、破損するおそれがないと判断される。なお、所定の閾値は、予めメモリ２８に記憶されている。
【００２４】
警報部２９３は、判定部２９２の判定結果に基づいて、警報を行う機能部である。具体的には、警報部２９３は、例えば、スピーカ２６から警報音を出力させたり、図示しないバイブレータを駆動させたりすることにより、破損するおそれがある旨をユーザに対して報知する。
【００２５】
図２に示すように、外部から圧力が加えられていない場合、携帯端末装置２の上側筐体２ａと下側筐体２ｂとは、所定の間隔ｄだけ離間して対向配置されている。しかしながら、例えば携帯端末装置２をバッグに他の硬い物と一緒に入れたり、ズボンのポケットに入れたりするなどにより、携帯端末装置２に対して外部から圧力がかかると、上側筐体２ａや下側筐体２ｂが撓み、その圧力によっては対向配置された入力部２２とタッチパネル２４とが接触することとなる。例えば、図４に示すように、上側筐体２ａが下側筐体２ｂに向かう小さな外力（符号ａ）を受けた場合、上側筐体２ａが下側筐体２側に向かって湾曲するように撓むが、外力が小さいので撓む度合いも小さい。したがって、このときには、入力部２２とタッチパネル２４とは接触しない、または、図５の符号ｃで示すように、接触したとしてもその面積は小さいものとなる。しかしながら、図６に示すように、その外力が大きくなると（符号ｂ）、上側筐体２ａが下側筐体２側に向かって湾曲する度合いが大きくなるので、図５の符号ｄで示すように入力部２２によるタッチパネル２４に対する接触面積は大きくなる。このように、携帯端末装置２にかかる外力とタッチパネル２４に対する接触面積との間には、一方が大きくなると他方も大きくなるという相関関係がある。そこで、本実施の形態では、接触面積および接触時間と所定の閾値とを比較することにより、表示部２３等が破損するおそれがあるか否かを判定し、この判定結果に基づいて警報を行う。
【００２６】
所定の閾値は、筐体や表示部２３など携帯端末装置２の各構成要素の形状や材質等に応じて適宜設定される。例えば、図７の符号ｅで示す範囲のように、接触時間に関する閾値は、接触面積が増加すると短く、接触面積が減少すると長くするというように、単調減少関数にしたがって変化するように設定してもよい。
図７の場合、接触面積が値ｆを超えると、接触時間に関わらず携帯端末装置２が破損するおそれがあると判断される。これにより、携帯端末装置２の構成要素が即座に破損するような非常に大きな外力がかかった場合には、即座に警報が行われることとなる。
また、接触面積が値ｆよりも小さい値ｇであっても、接触時間が時間ｈを超えると、携帯端末装置２が破損するおそれがあると判断される。携帯端末装置２の構成要素は、所定の外力が所定の時間続くと、疲労による機械的強度が低下することがある。そこで、接触面積が値ｆよりも小さい値ｇで、かつ、接触時間が時間ｈを超えると警報が行われるようにすることにより、疲労により携帯端末装置２が破損することを防ぐことができる。
また、接触面積が値ｇ〜値ｆの間の値の場合には、単調減少関数のように接触時間に応じて判断される。これにより、携帯端末装置２の形状や構成に応じた警報の出力を実現することができる。
【００２７】
＜警報動作＞
次に、本実施の形態に係る携帯端末装置２による警報動作について説明する。
【００２８】
まず、制御部２９の判定部２９２は、開閉検出スイッチ２７の検出結果に基づいて、携帯端末装置２が閉状態にあるか否かを検出する（ステップＳ１）。
【００２９】
携帯端末装置２が開状態の場合（ステップＳ１：ＮＯ）、判定部２９２は、携帯端末装置２の開閉状態の検出を続行する。
【００３０】
一方、携帯端末装置２が閉状態の場合（ステップＳ１：ＹＥＳ）、判定部２９２は、タッチパネル２４による検出結果に基づいて、接触面積および接触時間の少なくとも一方が閾値を超えたか否かを検出する（ステップＳ２）。
【００３１】
接触面積および接触時間の少なくとも一方が閾値を超えていない場合（ステップＳ２：ＮＯ）、判定部２９２は、ステップＳ１の処理に戻る。
【００３２】
一方、接触面積および接触時間の少なくとも一方が閾値を超えている場合（ステップＳ２：ＹＥＳ）、判定部２９２は、警報部２９３により携帯端末装置２が破損するおそれがある旨をユーザに対して報知させる（ステップＳ３）。これにより、ユーザは、携帯端末装置２に外部から過剰な圧力等がかかっていることを認識することができる。
【００３３】
以上説明したように、本実施の形態によれば、タッチパネル２４により検出された他の物体との接触位置に関する情報に基づいて、接触面積および接触時間を検出し、これらが閾値を超えたか否かを判定し、超えたとはんていされた場合に警報を出力させることにより、従来のように突起等の他の機構を設けることなく外力を検出して警告することができる。
【００３４】
なお、本実施の形態では、タッチパネル２４を表示部２３の表面に配設する場合を例に説明したが、タッチパネル２４を配設する場所はこれに限定されず適宜自由に選択することができる。例えば、入力部２２の表面に配設したり、入力部２２そのものをタッチパネルとしたり、これらとともに表示部２３の表面に配設したりするようにしてもよい。
【産業上の利用可能性】
【００３５】
本発明は、携帯電話機、ノートＰＣ、ＰＤＡなどタッチパネルを備えた各種携帯端末装置に適用することができる。
【符号の説明】
【００３６】
１，２…携帯端末装置、２ａ…上側筐体、２ｂ…下側筐体、１１…開閉状態検出部、１２…二次元接触センサ、１３…判定部、１４…警報部、２１…無線部、２２…入力部、２３…表示部、２４…タッチパネル、２５…マイク、２６…スピーカ、２７…開閉検出スイッチ、２８…メモリ、２９…制御部、２９１…機能処理部、２９２…判定部、２９３…警報部。
【図１】
2010250468.tif 000003
【図２】
2010250468.tif 000004
【図３】
2010250468.tif 000005
【図４】
2010250468.tif 000006
【図５】
2010250468.tif 000007
【図６】
2010250468.tif 000008
【図７】
2010250468.tif 000009
【図８】
2010250468.tif 000010